(57)【要約】      （修正有）【課題】トンネル内に設置された火災検知器のテスタを用いた火災発報試験の作業効率の向上と作業コストの低減を可能とする。【解決手段】火災検知器１２の発報試験を行う場合、試験員３４がテスタ３６を操作して火災検知器１２の透光性窓に炎試験光を照射すると火災信号が防災受信盤に送信され、火災警報音が出力される。防災受信盤１０の火災警報動作が確認できたら、テスタ３６から試験復旧光を照射すると、火災検知器１２から遠隔復旧信号が送信されて防災受信盤１０が復旧し、通話出力装置４０からの火災警報音が停止することで、防災受信盤１０の復旧が確認できる。防災受信盤１０の警報音が非常電話回線１５により送られてスピーカから出力されるので、試験員３４は警報動作とその復旧が確認できる。【選択図】図２
2018180580.tif 000002
【特許請求の範囲】
【請求項１】
防災受信盤からトンネル内に引き出した信号回線に火災検知器が接続され、前記火災検知器は炎からの放射線を検出して火災信号を前記防災受信盤に送信し、前記防災受信盤は前記火災検知器からの火災信号を受信した場合に音響警報の出力を含む所定の火災警報動作を行うトンネル防災設備の試験システムに於いて、
試験光と試験復旧光を前記火災検知器に照射するテスタが設けられ、
前記火災検知器は、前記テスタからの前記試験光の受光により火災を判断して前記防災受信盤の警報動作を行わせると共に、前記テスタからの前記試験復旧光を受光して前記防災受信盤の前記警報動作を復旧させることを特徴とするトンネル防災設備の試験システム。
【請求項２】
請求項１記載のトンネル防災設備の試験システムに於いて、
前記テスタは、所定の試験開始操作を行った場合に、前記炎試験光を前記火災検知器に照射し、所定の試験復旧操作を行った場合に前記試験復旧光を前記火災検知器に照射し、
前記火災検知器は、前記テスタから照射された前記炎試験光の受光により火災を判断して火災信号を前記防災受信盤へ送信し、前記テスタから照射された前記試験復旧光の受光により復旧指示を判断して遠隔復旧信号を前記防災受信盤へ送信し、
前記防災受信盤は、前記火災検知器から火災信号を受信した場合に、火災警報動作を行い、前記火災警報動作中に前記火災検知器から前記遠隔復旧信号を受信した場合に前記火災警報動作を復旧させることを特徴とするトンネル防災設備の試験システム。
【請求項３】
請求項１記載のトンネル防災設備の試験システムに於いて、更に、
前記防災受信盤に着脱自在に接続され、前記防災受信盤の音響出力をマイクにより入力して音響信号に変換し、当該音響信号を非常電話回線に送信する通話入力装置と、
前記トンネル内に設置された非常電話設備に着脱自在に接続され、前記通話入力装置により前記非常電話回線に送信された前記防災受信盤の音響信号を受信してスピーカから再生出力する通話出力装置と、
が設けられたことを特徴とするトンネル防災設備の試験システム。
【請求項４】
請求項２記載のトンネル防災設備の試験システムに於いて、
前記テスタは、所定の試験開始操作を行った場合に、前記炎試験光を照射する前に所定の試験開始光を前記火災検知器に照射し、
前記火災検知器は、前記テスタから照射された前記試験開始光の受光により試験開始指示を判断して試験モードを設定し、前記テスタから照射された前記炎試験光の受光により火災を判断して所定の試験情報が設定された火災信号を前記防災受信盤へ送信し、
前記防災受信盤は、前記火災検知器から前記試験情報が設定された火災信号を受信した場合に、外部機器との連動及び外部機器への移報を解除した火災警報動作を行うことを特徴とするトンネル防災設備の試験システム。
【請求項５】
請求項４記載のトンネル防災設備の試験システムに於いて、
前記テスタは、
前記炎試験光として、炎の波長帯域を含み且つ炎に固有な所定のゆらぎ周波数で変化する光を照射し、
前記試験開始光として、前記炎試験光のゆらぎ周波数とは異なる所定周波数で変化する光、又は、所定の点滅パターンをもつパルス光を照射し、
前記試験復旧光として、前記炎試験光のゆらぎ周波数及び前記試験開始光の周波数とは異なる所定周波数で変化する光、又は、前記試験開始光の点滅パターンとは異なる所定の点滅パターンをもつパルス光を照射することを特徴とするトンネル防災設備の試験システム。
【請求項６】
請求項５記載のトンネル防災設備の試験システムに於いて、
前記火災検知器は、トンネル内に設置された場合に、左右に配置された透光性窓を介して左右に検知エリアを設定して火災を監視する２組の火災検知部を備え、
前記テスタは、前記火災検知器の左右の透光性窓に相対して前記試験開始光、前記炎試験光及び前記試験復旧光を照射する２組の試験光源を備えたことを特徴とするトンネル防災設備の試験システム。
【請求項７】
請求項２記載のトンネル防災設備の試験システムに於いて、
前記火災検知器は発報表示灯を備え、前記テスタからの炎試験光の受光により火災を判断した場合に前記発報表示灯を作動して火災発報を表示させ、前記テスタからの試験復旧光の受光により前記防災受信盤に遠隔復旧信号を送信して前記防災受信盤を火災復旧させた場合に前記発報表示灯を消灯させることを特徴とするトンネル防災設備の試験システム。
【請求項８】
請求項２記載のトンネル防災設備の試験システムに於いて、
前記火災検知器は発報表示灯を備え、前記防災受信盤で火災信号の蓄積受信が行われる場合、
前記テスタからの炎試験光の受光により火災を判断した場合に前記前記発報表示灯に火災発報を表示させ、
前記防災受信盤から復旧信号を受信して所定の蓄積時間のあいだ火災判断を停止する場合に前記発報表示灯に蓄積中を表示させ、
前記蓄積時間が終了して再度火災信号を送信した場合に前記防災受信盤から送信される火災確定信号を受信して前記発報表示灯に前記防災受信盤の火災警報動作を表示させ、
前記テスタからの試験復旧光の受光により前記防災受信盤に遠隔復旧信号を送信して前記防災受信盤を火災復旧させた場合に前記発報表示灯を消灯させる、
ことを特徴とするトンネル防災設備の試験システム。
【請求項９】
請求項８記載のトンネル防災設備の試験システムに於いて、
前記火災検知器の発報表示灯は、所定の第１色と第２色を選択的に表示可能な２色表示灯であり、前記火災発報の表示として前記発報表示色を前記第１色で点滅又は明滅させ、前記蓄積中の表示として前記発報表示灯を前記第２色で点滅又は明滅させ、更に、前記防災受信盤の火災警報動作として、前記発報表示灯を前記第２色で点灯させることを特徴とするトンネル防災設備の試験システム。
【発明の詳細な説明】
【技術分野】
【０００１】
本発明は、防災受信盤から引き出された信号線に接続されてトンネル内の火災を監視する火災検知器を、炎試験光を照射するテスタを用いて試験するトンネル防災設備の試験システムに関する。
【背景技術】
【０００２】
従来、自動車専用道路等のトンネルには、トンネル内で発生する火災事故から人身及び車両等を守るため、火災を監視する火災検知器が設置され、防災受信盤から引き出された信号線に接続されている。
【０００３】
火災検知器は左右の両方向に検出エリアを持ち、トンネルの長手方向に沿って、隣接して配置される火災検知器との検出エリアが相互補完的に重なるように、例えば、２５ｍ間隔、或いは５０ｍ間隔で連続的に配置されている。
【０００４】
また、火災検知器は透光性窓を介してトンネル内で発生する火災炎からの放射線、たとえば赤外線を監視しており、炎の監視機能を維持するために、受光素子の感度を監視するための感度試験や透光性窓の汚れを監視するための汚れ試験を行っている。また、トンネル防災設備を施工した場合や運用中に、炎試験光を照射するテスタを使用して火災発報試験を行い、正常に動作することを確認している。
【０００５】
このような従来のテスタを用いた火災検知器の火災発報試験は、テスタを使用して火災検知器の試験を行う試験員が１名、防災受信盤に確認要員が１名、試験場所に近いトンネル内の非常電話設備に連絡員が１名と、合計３名の人員を配置している。
【０００６】
試験作業は、試験員がテスタを使用して火災検知器の火災発報試験を行うと、火災信号が防災受信盤に送信されて火災警報動作が行われ、確認要員が非常電話設備を使用してトンネル内の連絡員に防災受信盤の正常動作を伝え、連絡員が試験員に試験結果を伝え、更に、試験員から指示を受けて確認要員が防災受信盤の復旧操作を行い、この作業を火災検知器毎に繰り返している。
【先行技術文献】
【特許文献】
【０００７】
【特許文献１】特開平６−３２５２７１号公報
【特許文献２】特開２００２−２４６９６２号公報
【特許文献３】特開平１１−１２８３８１号公報
【発明の概要】
【０００８】
しかしながら、このような従来のテスタを用いた火災検知器の火災発報試験にあっては、テスタを使用して火災検知器の試験を行う試験員以外に、防災受信盤の確認要員、トンネル内の非常電話設備の連絡員が１名と、合計３名の人員を必要としており、相互に連絡を取りながら試験作業を進める必要があるため、試験作業に手間と時間がかかり、試験に要する人的なコストも嵩む問題がある。
【０００９】
本発明は、トンネル内に設置された火災検知器のテスタを用いた火災発報試験の作業効率の向上と作業コストの低減を可能とするトンネル防災設備の試験システムを提供することを目的とする。
【課題を解決するための手段】
【００１０】
（トンネル防災設備の試験システム）
本発明は、防災受信盤からトンネル内に引き出した信号回線に火災検知器が接続され、火災検知器は炎からの放射線を検出して火災信号を防災受信盤に送信し、防災受信盤は火災検知器からの火災信号を受信した場合に音響警報の出力を含む所定の火災警報動作を行うトンネル防災設備の試験システムに於いて、
試験光と試験復旧光を火災検知器に照射するテスタが設けられ、
火災検知器は、テスタからの試験光の受光により火災を判断して防災受信盤の警報動作を行わせると共に、テスタからの試験復旧光を受光して防災受信盤の警報動作を復旧させることを特徴とする。
【００１１】
（テスタ、火災検知器及び防災受信盤の機能）
テスタは、所定の試験開始操作を行った場合に、炎試験光を火災検知器に照射し、所定の試験復旧操作を行った場合に試験復旧光を火災検知器に照射し、
火災検知器は、テスタから照射された炎試験光の受光により火災を判断して火災信号を防災受信盤へ送信し、テスタから照射された試験復旧光の受光により復旧指示を判断して遠隔復旧信号を防災受信盤へ送信し、
防災受信盤は、火災検知器から火災信号を受信した場合に、火災警報動作を行い、火災警報動作中に火災検知器から遠隔復旧信号を受信した場合に火災警報動作を復旧させる。
【００１２】
（トンネル内での防災受信盤の音響出力）
トンネル防災設備の試験システムは、更に、
防災受信盤に着脱自在に接続され、防災受信盤の音響出力をマイクにより入力して音響信号に変換し、当該音響信号を非常電話回線に送信する通話入力装置と、
トンネル内に設置された非常電話設備に着脱自在に接続され、通話入力装置により非常電話回線に送信された防災受信盤の音響信号を受信してスピーカから再生出力する通話出力装置と、
が設けられる。
【００１３】
（火災検知器に対する試験モードの設定）
テスタは、所定の試験開始操作を行った場合に、炎試験光を照射する前に所定の試験開始光を火災検知器に照射し、
火災検知器は、テスタから照射された試験開始光の受光により試験開始指示を判断して試験モードを設定し、テスタから照射された炎試験光の受光により火災を判断した場合に所定の試験情報が設定された火災信号を防災受信盤へ送信し、
防災受信盤は、火災検知器から試験情報が設定された火災信号を受信した場合に、外部機器の連動及び移報を解除した火災警報動作を行う。
【００１４】
（テスタの試験開始光、炎試験光、試験復旧光）
テスタは、
炎試験光として、炎の波長帯域を含み且つ炎に固有な所定のゆらぎ周波数で強度が変化する光を照射し、
試験開始光として、炎試験光のゆらぎ周波数とは異なる所定周波数で強度が変化する光、又は、所定の点滅パターンをもつパルス光を照射し、
試験復旧光として、炎試験光のゆらぎ周波数及び試験開始光の周波数とは異なる所定周波数で強度が変化する光、又は、試験開始光の点滅パターンとは異なる所定の点滅パターンをもつパルス光を照射する。
【００１５】
（２眼テスタ）
火災検知器は、トンネル内に設置された場合に、左右に配置された透光性窓を介して左右に検知エリアを設定して火災を監視する２組の火災検知部を備え、
テスタは、火災検知器の左右の透光性窓に相対して試験開始光、炎試験光及び試験復旧光を照射する２組の試験光源を備える。
【００１６】
（火災検知器の発報表示灯）
火災検知器は発報表示灯を備え、テスタからの炎試験光の受光により火災を判断した場合に発報表示灯を作動して火災発報を表示させ、テスタからの試験復旧光の受光により防災受信盤に遠隔復旧信号を送信して防災受信盤を火災復旧させた場合に発報表示灯を消灯させる。
【００１７】
（蓄積受信に伴う発報表示灯の作動）
火災検知器は発報表示灯を備え、
防災受信盤で火災信号の蓄積受信が行われる場合、
テスタからの炎試験光の受光により火災を判断した場合に発報表示灯に火災発報を表示させ、
防災受信盤から復旧信号を受信して所定の蓄積時間のあいだ火災判断を停止する場合に発報表示灯に蓄積中を表示させ、
蓄積時間が終了して再度火災信号を送信した場合に防災受信盤から送信される火災確定信号を受信して発報表示灯に防災受信盤の火災警報動作を表示させ、
テスタからの試験復旧光の受光により防災受信盤に遠隔復旧信号を送信して復旧させた場合に発報表示灯を消灯させる。
【００１８】
（蓄積受信に伴う発報表示灯の２色表示）
火災検知器の発報表示灯は、所定の第１色と第２色を選択的に表示可能な２色表示灯であり、火災発報の表示として発報表示色を第１色で点滅又は明滅させ、蓄積中の表示として、発報表示灯を第２色で点滅又は明滅させ、更に防災受信盤の火災警報動作として発報表示灯を前記第２色で点灯させる。
【発明の効果】
【００１９】
（基本的な効果）
本発明は、防災受信盤からトンネル内に引き出した信号回線に火災検知器が接続され、火災検知器は炎からの放射線を検出して火災信号を防災受信盤に送信し、防災受信盤は火災検知器からの火災信号を受信した場合に音響警報の出力を含む所定の火災警報動作を行うトンネル防災設備の試験システムに於いて、試験光と試験復旧光を火災検知器に照射するテスタが設けられ、火災検知器は、テスタからの試験光の受光により火災を判断して防災受信盤の警報動作を行わせると共に、テスタからの試験復旧光を受光して防災受信盤の警報動作を復旧させるようにしたため、トンネル内に設置された火災検知器を試験する場合、試験員はテスタから試験光を火災検知器に照射して防災受信盤から火災警報が出力されたことを確認した場合、テスタから試験復旧光を照射することで防災受信盤の警報動作を復旧させることができ、防災受信盤側に連絡して警報動作を復旧させる手間が不要となり、試験作業に要する手間と時間が低減され、試験員も少なくて済むことから人的なコストも低減可能となる。
【００２０】
（テスタ、火災検知器及び防災受信盤の機能による効果）
また、テスタは、所定の試験開始操作を行った場合に、炎試験光を火災検知器に照射し、所定の試験復旧操作を行った場合に試験復旧光を火災検知器に照射し、火災検知器は、テスタから照射された炎試験光の受光により火災を判断して火災信号を防災受信盤へ送信し、テスタから照射された試験復旧光の受光により復旧指示を判断して遠隔復旧信号を防災受信盤へ送信し、防災受信盤は、火災検知器から火災信号を受信した場合に、火災警報動作を行い、火災警報動作中に火災検知器から遠隔復旧信号を受信した場合に火災警報動作を復旧させるようにしたため、試験員がテスタを使用して炎試験光を火災検知器に照射すると、試験発報により火災信号が防災受信盤に送信され、防災受信盤は例えば試験モードを予め設定しておくことで、火災信号の受信により外部機器との連動を解除した火災警報動作により火災警報音を出力させ、試験員は防災受信盤の火災警報動作を確認した場合はテスタから試験復旧光を照射することで、火災検知器から遠隔復旧信号が防災受信盤に送られて警報音が停止し、防災受信盤の復旧を確認して次の火災検知器の試験に移ることができる。
【００２１】
（トンネル内での防災受信盤の音響出力による効果）
また、トンネル防災設備の試験システムは、更に、防災受信盤に着脱自在に接続され、防災受信盤の音響出力をマイクにより入力して音響信号に変換し、当該音響信号を非常電話回線に送信する通話入力装置と、トンネル内に設置された非常電話設備に着脱自在に接続され、通話入力装置により非常電話回線に送信された防災受信盤の音響信号を受信してスピーカから再生出力する通話出力装置とが設けられたため、トンネル内に設置された火災検知器をテスタを使用して試験する場合、試験に先立ち、防災受信盤に通話入力装置を接続すると共に、トンネル内の試験場所に近い非常電話設備に通話出力装置を接続して動作状態とし、この状態で試験員がテスタを使用して火災検知器の発報試験を行って防災受信盤から火災警報音が出力されると、この火災警報音は通話入力装置から非常電話回線を介してトンネル内の通話出力装置に送られてスピーカから出力されることで、試験員は防災受信盤の火災警報動作を確認でき、続いて、テスタから試験復旧光を照射して防災受信盤を復旧させることで警報音が停止すると、試験員は通話出力装置のスピーカからの警報音の停止により防災受信盤の復旧を確認して次の火災検知器の試験に移ることができ、試験員１名によって火災感知器のテスタを使用した火災発報試験が可能となる。
【００２２】
（火災検知器に対する試験モードの設定による効果）
また、テスタは、所定の試験開始操作を行った場合に、炎試験光を照射する前に所定の試験開始光を火災検知器に照射し、火災検知器は、テスタから照射された試験開始光の受光により試験開始指示を判断して試験モードを設定し、テスタから照射された炎試験光の受光により火災を判断した場合に所定の試験情報が設定された火災信号を防災受信盤へ送信し、防災受信盤は、火災検知器から試験情報が設定された火災信号を受信した場合に、外部機器の連動及び移報を解除した火災警報動作を行うようにしたため、防災受信盤の操作により試験モードを設定して外部機器との連動や移報を解除しておかなくとも、試験情報が設定された火災信号を受信することで、試験発報による火災信号の受信であることが認識され、自動的に外部機器との連動や移報を解除した火災警報動作が可能となる。また、発報試験を行った火災検知器からの火災信号よる火災警報動作中に、他の火災検知器で真の火災による炎が検知されて火災信号が送信された場合、この火災信号には試験情報が設定されていないことから、外部機器の連動制御や移報を解除することなく、真の火災に対し適切な火災警報動作が行われ、火災検知器の発報試験を行っていても、火災監視機能が損なわれることはない。
【００２３】
（テスタの試験開始光、炎試験光、試験復旧光による効果）
また、テスタは、炎試験光として、炎の波長帯域を含み且つ炎に固有な所定のゆらぎ周波数で強度が変化する光を照射し、試験開始光として、炎試験光のゆらぎ周波数とは異なる所定周波数で強度が変化する光、又は、所定の点滅パターンをもつパルス光を照射し、試験復旧光として、炎試験光のゆらぎ周波数及び試験開始光の周波数とは異なる所定周波数で強度が変化する光、又は、試験開始光の点滅パターンとは異なる所定の点滅パターンをもつパルス光を照射するようにしているため、火災検知器に対する試験開始、発報試験、試験復旧といった一連の操作がテスタの操作により可能となり、火災検知器側に試験員が１名付くだけで、防災受信盤と連携した火災検知器の火災発報試験を効率的に進めることを可能とする。
【００２４】
（２眼テスタによる効果）
また、火災検知器は、トンネル内に設置された場合に、左右に配置された透光性窓を介して左右に検知エリアを設定して火災を監視する２組の火災検知部を備え、テスタは、火災検知器の左右の透光性窓に相対して試験開始光、炎試験光及び試験復旧光を照射する２組の試験光源を備えるようにしたため、テスタの左右の試験光源を同じ寸法配置をもつ火災検知器の左右の透光性窓に被せるように位置合わせして１回セットするだけで、火災検知器に設けられた左右の火災検知部の発報試験を順番に行うことができ、発報試験の作業性が向上できる。
【００２５】
（火災検知器の発報表示灯による効果）
また、火災検知器は発報表示灯を備え、テスタからの炎試験光の受光により火災を判断した場合に発報表示灯を作動して火災発報を表示させ、テスタからの試験復旧光の受光により防災受信盤に遠隔復旧信号を送信して防災受信盤を火災復旧させた場合に発報表示灯を消灯させるようにしているため、トンネル内の非常電話設備に接続している通話出力装置のスピーカ出力と合わせて、火災検知器の発報表示灯の表示状態からも、試験発報、防災受信盤の火災警報動作と復旧動作等を確認が可能となる。
【００２６】
（蓄積受信に伴う発報表示灯の作動による効果）
また、火災検知器は発報表示灯を備え、防災受信盤で火災信号の蓄積受信が行われる場合、テスタからの炎試験光の受光により火災を判断した場合に発報表示灯に火災発報を表示させ、防災受信盤から復旧信号を受信して所定の蓄積時間のあいだ火災判断を停止する場合に発報表示灯に蓄積中を表示させ、蓄積時間が終了して再度火災信号を送信した場合に防災受信盤から送信される火災確定信号を受信して発報表示灯に防災受信盤の火災警報動作を表示させ、テスタからの試験復旧光の受光により防災受信盤に遠隔復旧信号を送信して復旧させた場合に発報表示灯を消灯させるようにしたため、テスタを用いた試験員１名による火災検知器の発報試験において、通話出力装置の音響出力に加え、火災検知器の試験発報に伴う防災受信盤の蓄積受信による火災警報動作が発報表示灯の表示から簡単且つ容易に確認可能となる。
【００２７】
例えば、火災検知器の発報表示灯は、所定の第１色と第２色を選択的に表示可能な２色表示灯であり、火災発報の表示として、例えば、発報表示色を第１色で点滅又は明滅させ、蓄積中の表示として、発報表示灯を第２色で点滅又は明滅させ、更に、防災受信盤の火災警報動作として、発報表示灯を第２色で点灯させるようにしたため、火災感知器かに設けている発報表示灯を見ることで、通話出力装置の音響出力に加え、発報表示灯の表示色と表示パターンの組合せにより、火災検知器の試験発報に伴う防災受信盤の蓄積受信による火災警報動作が簡単且つ容易に確認可能となる。
【図面の簡単な説明】
【００２８】
【図１】トンネル防災システムの概要を示した説明図
【図２】火災検知器の発報試験を行う試験システムの概要を示した説明図
【図３】防災受信盤の機能構成の概略を示したブロック図
【図４】火災検知器の外観を示した説明図
【図５】火災検知器の機能構成の概略を示したブロック図
【図６】炎試験光と試験開始光を検知する増幅処理部の回路構成を示したブロック図
【図７】テスタの外観を示した説明図
【図８】テスタの機能構成の概略を示したブロック図
【図９】テスタにより照射する炎試験光及び試験復旧光を示したタイムチャート
【図１０】防災受信盤の制御動作を示したフローチャート
【図１１】火災検知器の制御動作を示したフローチャート
【図１２】図１１の火災感知器にテスタから照射する試験開始光、炎試験光及び試験復旧光を示したタイムチャート
【発明を実施するための形態】
【００２９】
［トンネル防災システムの概要］
図１はトンネル防災システム概要を示した説明図である。図１に示すように、自動車専用道路のトンネルとして、上り線トンネル１ａと下り線トンネル１ｂが構築されている。
【００３０】
上り線トンネル１ａと下り線トンネル１ｂの内部には、トンネル長手方向の壁面に沿って例えば２５メートル又は５０メートル間隔で火災検知器１２が設置されている。火災検知器１２は２組の火災検知部を備えることでトンネル長手方向上り側および下り側の両方向に検知エリアを持ち、トンネルの長手方向に沿って、隣接して配置される火災検知器との検知エリアが相互補完的に重なるように連続的に配置され、検知エリア内で起きた火災による炎からの放射線、例えば赤外線を観測して火災を検知する。
【００３１】
また、上り線トンネル１ａと下り線トンネル１ｂには、非常用施設として、火災通報のために非常電話機１６が設けられている。更に、上り線トンネル１ａと下り線トンネル１ｂには、非常用施設として、火災通報のために手動通報装置が設けられ、火災の消火や延焼防止のために消火栓装置が設けられ、更にトンネル躯体やダクト内を火災から防護するために水噴霧ヘッドから消火用水を散水させる水噴霧などが設置されるが、図示を省略している。
【００３２】
防災受信盤１０からは上り線トンネル１ａと下り線トンネル１ｂに対し電源回線を含む伝送路１４を引き出して火災検知器１２を接続しており、火災検知器１２には回線単位に固有のアドレスを設定されている。
【００３３】
また、防災受信盤１０からは上り線トンネル１ａと下り線トンネル１ｂに対し非常電話回線１５が引き出され、非常電話回線１５に非常電話機１６が接続されている。非常電話機１６は扉付きの非常電話ボックスに収納されており、本実施形態にあっては、非常電話ボックスの内部には、テスタを用いた火災検知器１２の試験に使用する電話ジャックが設けられている。なお、以下の説明で上り線トンネル１ａと下り線トンネル１ｂを区別する必要がない場合は、トンネル１という場合がある。
【００３４】
また、防災受信盤１０に対しては、消火ポンプ設備１８、ダクト用の冷却ポンプ設備２０、ＩＧ子局設備２２、換気設備２４、警報表示板設備２５、ラジオ再放送設備２６、テレビ監視設備２８及び照明設備３０等が設けられており、ＩＧ子局設備２２をデータ伝送回線で接続する点を除き、それ以外の設備はＰ型信号回線により防災受信盤１０に個別に接続されている。ここで、ＩＧ子局設備２２は、防災受信盤１０と外部に設けた上位設備である遠方監視制御設備３２とをネットワークを経由して結ぶ通信設備である。
【００３５】
換気設備２４は、トンネル内の天井側に設置されているジェットファンの運転による高い吹き出し風速によってトンネル内の空気にエネルギーを与えて、トンネル長手方向に換気の流れを起こす設備である。
【００３６】
警報表示板設備２５は、トンネル内の利用者に対して、トンネル内の異常を、電光表示板に表示して知らせる設備である。ラジオ再放送設備２６は、トンネル内で運転者等が道路管理者からの情報を受信できるようにするための設備である。テレビ監視設備２８は、火災の規模や位置を確認したり、水噴霧設備の作動、避難誘導を行う場合のトンネル内の状況を把握するための設備である。照明設備３０はトンネル内の照明機器を駆動して管理する設備である。
【００３７】
［試験システムの概要］
図２は火災検知器の発報試験を行う試験システムの概要を示した説明図である。図２に示すように、本実施形態の試験システムは、トンネル１内の火災検知器１２の発報試験を試験員３４が１名で行う場合、試験員３４はテスタ３６を携帯しており、火災検知器１２の発報試験を行う場合には、火災検知器１２に設けられている左右２つの透光性窓に向けてテスタ３６から試験開始時に試験開始光を照射し、続いて炎試験光を照射し、発報試験が終了したら復旧試験光を照射する操作を行う。本実施形態で試験員３４が使用するテスタ３６は、火災検知器１２に設けられた左右２つの透光性窓に合せて２つの試験光源を備えた所謂２眼式のテスタ３６を使用している。
【００３８】
また、火災検知器１２の発報試験に先立ち、防災受信盤１０に設けられている非常電話機の電話ジャック３７に通話入力装置３８を接続している。通話入力装置３８は、防災受信盤１０から出力される火災警報音や警報メッセージ等をマイクにより音響信号に変換して増幅し、非常電話回線１５に送信する機能を備えた携帯型の機器であり、バッテリー電源で動作する。
【００３９】
試験員３４による火災検知器１２の発報試験は次のようになる。テスタ３６を使用して発報試験を行おうとする場合、試験員３４は、火災検出器１２に近い非常電話機１６に設けられた電話ジャック１７に通話出力装置４０を接続している。通話出力装置４０は、非常電話回線１５を介して防災受信盤１０側に設けられた通話入力装置３８から送信された音響信号を受信して増幅し、車両が通行しているトンネル内で聞こえるに十分な音量でスピーカから出力する機能を備える。
【００４０】
試験員３４はトンネル１内の試験を行う火災検知器１２の左右の透光性窓に２眼式のテスタ３６に設けられた左右の試験光源を位置合わせしてセットし、例えば右眼側の試験操作を行うと、右側の透光性窓に対し試験開始光が照射される。テスタ３６から照射される試験開始光は、炎に特有なＣＯ2の共鳴放射帯である４．４〜４．５μｍの放射線を含み、且つ炎固有のゆらぎ周波数８〜１２Ｈｚとは異なった所定周波数、例えば２５０Ｈｚの光であり、テスタ３６からの試験開始光を受光した火災検知器１２の右眼側の火災検知部は試験開始指示を判断して試験モードを設定する。
【００４１】
続いて、テスタ３６から右側の透光性窓に対し炎試験光が照射される。テスタ３６から照射される試験光は、炎に特有なＣＯ2の共鳴放射帯である４．４〜４．５μｍの放射線を含み、且つ炎に固有な８〜１２Ｈｚのゆらぎ周波数をもつ光となる。テスタ３６からの炎試験光を受光した火災検知器１２の右眼側の火災検知部は火災を判断して試験発報し、試験情報が設定された火災信号を防災受信盤１０に送信する。
【００４２】
防災受信盤１０は試験発報した火災検知器１２からの火災信号を受信すると、火災警報音や火災警報メッセージの出力を含む火災警報動作を行う。この場合、火災信号に試験情報が設定されているため、火災検知器１２の試験発報と判断し、外部の設備機器に対する連動制御は行われない。
【００４３】
防災受信機１０の電話ジャック３７に接続されている通話入力装置３８は、防災受信盤１０の試験発報に伴う火災警報動作で出力された火災警報音や音声メッセージをマイクにより音響信号に変換して非常電話回線１５に送信し、この音響信号は試験場所の近くの非常電話機１６の電話ジャック１７に接続されている通話出力装置４０で受信され、スピーカから出力され、これにより試験員３４は試験発報により防災受信盤１０で火災警報動作が正常に行われたことが確認できる。
【００４４】
このようにして火災検知器１２の試験発報による正常動作が確認された場合、試験員３４はテスタ３６で復旧操作を行うと、火災検知器１２の右側の透光性窓に対し試験復旧光が照射される。テスタ３６から出力される試験復旧光は、炎試験信号と同じ赤外線の波長帯域を含む光であるが、炎固有の８〜１２Ｈｚのゆらぎ周波数とは異り、且つ、試験開始光とも異なる例えば５００Ｈｚの周波数をもつ光としている。
【００４５】
テスタ３６からの試験復旧光を受光した火災検知器１２の右眼側の火災検知部は、試験復旧の指示を判断し、遠隔復旧信号を防災受信盤１０に送信する。防災受信盤１０は試験発報した火災検知器１２からの遠隔復旧信号を受信すると、火災警報音や火災警報メッセージの出力を含む火災警報動作を停止して復旧させ、試験員３４は通話出力装置４０からの火災警報音や火災警報メッセージの停止から防災受信盤１０の復旧を確認する。
【００４６】
続いて、試験員３４は、火災検知器 １２の発報試験の左側の透光性窓に対しテスタ３６から試験開始光を照射して試験モードを設定させ、続いて炎試験光を照射して同様に発報試験を行わせ、防災受信盤１０の火災警報動作を確認したらテスタ３６から試験復旧光を火災検知器１２に照射して防災受信盤１０を復旧させることで一連の試験操作を終了し、次の火災検知器１２の発報試験に移行する。
【００４７】
［防災受信盤］
図３は防災受信盤の機能構成の概略を示したブロック図である。図３に示すように、防災受信盤１０は盤制御部４２を備え、盤制御部４２は例えばプログラムの実行により実現される機能であり、ハードウェアとしてはＣＰＵ、メモリ、各種の入出力ポート等を備えたコンピュータ回路等を使用する。
【００４８】
盤制御部４２に対しては伝送部４４を設け、伝送部４４から引き出した伝送路１４に上り線トンネル１ａと下り線トンネル１ｂに設置した火災検知器１２がそれぞれ複数台接続されている。
【００４９】
また、盤制御部４２に対しスピーカ、警報表示灯等を備えた警報部 ４６、液晶ディスプレイ、プリンタ等を備えた表示部４８、各種スイッチ等を備えた操作部５０、外部監視設備と通信するＩＧ子局設備２２を接続するモデム５２が設けられ、また、図１に示した消火ポンプ設備１８、冷却ポンプ設備２０、換気設備２４、警報表示板設備２５、ラジオ再放送設備２６、テレビ監視設備２８及び照明設備３０が接続されたＩ／Ｏ部５４が設けられ、更に、通話回路部５６が設けられている。
【００５０】
盤制御部４２は、伝送部４４に指示して火災検知器１２のアドレスを順次指定したポーリングコマンドを含む呼出信号を繰り返し送信しており、火災検知器１２は自己アドレスに一致する呼出信号を受信すると、火災検知や試験結果等の自己の状態情報を含む応答信号を返信する。なお、以下の説明では、火災検知器１２からの火災検知情報が設定された応答信号を火災信号として説明する。
【００５１】
本実施形態の盤制御部４２は、蓄積受信により火災を判断する制御を行う。盤制御部４２の蓄積受信制御は、火災検知器１２から火災信号を最初に受信した場合、その火災検知器１２に対し蓄積動作を指示することで、所定の蓄積時間のあいだ火災判断を停止させ、蓄積時間を経過した時点で火災を再度判断させ、これにより２回目の火災信号を受信した場合に真の火災と判断して火災警報動作を行わせる。この盤制御部４２による蓄積受信制御は、テスタ３６を用いた火災感知器１２の発報試験の際にも、同様にして行われる。
【００５２】
また、盤制御部４２は、火災検知器１２からの応答信号の受信により火災を検知した場合は警報部４６により火災警報を出力させると共にＩ／Ｏ部５４を介して設備の連動制御を指示する制御を行う。
【００５３】
また、盤制御部４２は、テスタ３６を用いた火災検知器１２の発報試験による試験情報が設定された火災信号が受信された場合、警報部４６に指示して火災警報を出力させるが、Ｉ／Ｏ部５４を介した設備の連動制御は行わない。
【００５４】
また、盤制御部４２は、システムの立上げ時あるいは運用中の所定の周期毎に、火災検知器１２のアドレスを順次指定した試験指示コマンドを設定した試験信号を送信し、火災検知器１２に感度試験、汚れ試験及び劣化試験を行わせ、それぞれの試験結果を応答させる制御を行う。また、操作部５０により特定の火災検知器１２のアドレスを指定した試験操作により、個別の火災検知器に対し試験信号を送信して試験を行わせることもできる。これらの試験は、テスタ３６を使用した試験員による火災検知器１２の発報試験とは異なり、システム内で自動的に行われる試験となる。
【００５５】
通話回路部５６は上り線トンネル１ａ及び下り線トンネル１ｂに引き出された非常電話回線１５が接続されており、また、テスタ３６を用いた火災感知器１２の発報試験に使用する通話入力装置３８を接続可能な電話ジャック３７が設けられ、電話ジャック３７に通話入力装置３８を接続すると、通話入力装置３８のマイクで入力して変換した音響信号の非常電話回線１５への送信が可能となる。
【００５６】
通話回路部５６はトンネル内に設置している非常電話機１６のフックアップにより流れる電流を検出して盤制御部４２に通話呼出信号を出力し、警報部４６のスピーカ出力や表示部４８のディスプレイ表示等により通話呼出しを行い、図示しない非常電話親機のフックアップによりトンネル側との通話を可能としている。
【００５７】
［火災検知器］
図４は火災検知器の外観を示した説明図、図５は火災検知器の機能構成の概略を示したブロック図である。
【００５８】
（火災検知器の外観）
図４に示すように、火災検知器１２は、筐体６０の上部に設けられたセンサ収納部６２に、左右に分けて２組の透光性窓６４Ｒ，６４Ｌが設けられ、透光性窓６４Ｒ，６４Ｌ内の各々に、センサ部が配置されている。また、透光性窓６４Ｒ，６４Ｌの近傍の、センサ部を見通せる位置に、透光性窓６４Ｒ，６４Ｌの汚れ試験に使用される外部試験光源を収納した２組の試験光源用透光窓６６Ｒ，６６Ｌが設けられている。
【００５９】
以下の説明では、透光性窓６４Ｒを右眼透光性窓６４Ｒといい、透光性窓６４Ｌを左眼透光性窓６４Ｌという場合がある。
【００６０】
（火災検知器の概略構成）
図５に示すように、火災検知器１２には、検知器制御部６８、伝送部７０、左右２組の火災検知部７２Ｒ，７２Ｌ、発光駆動部８２、感度試験に用いられる内部試験光源８４Ｒ，８４Ｌ，８５Ｒ，８５Ｌ、汚れ試験に用いられる外部試験光源８６Ｒ，８６Ｌ及び発報表示灯９０Ｒ，９０Ｌが設けられている。以下の説明では、火災検知部７２Ｒを右眼火災検知部７２Ｒといい、火災検知部７２Ｌを左眼火災検知部７２Ｌという場合がある。
【００６１】
検知器制御部６８は、例えばプログラムの実行により実現される機能であり、ハードウェアとしてはＣＰＵ、メモリ、各種の入出力ポート等を備えたコンピュータ回路等を使用する。
【００６２】
伝送部７０はシリアル伝送線、シリアル伝送コモン線、電源線及び電源コモン線を含む伝送路１４により図２に示した防災受信盤１０の伝送部４４に接続され、各種信号をシリアル伝送により送受信する。
【００６３】
発光駆動部８２には、感度試験に使用する内部試験光源８４Ｒ，８４Ｌ，８５Ｒ，８５Ｌが接続され、また、汚れ試験に使用する外部試験光源８６Ｒ，８６Ｌが接続され、それぞれ発光素子としてＬＥＤを設けている。また、発光駆動部８２には発報表示灯９０Ｒ，９０Ｌが接続され、例えば赤と緑の２色を表示可能な２色ＬＥＤが設けられている。
【００６４】
内部試験光源８４Ｒ，８４Ｌ，８５Ｒ，８５Ｌ及び発報表示灯９０Ｒ，９０Ｌは、図４に示した透光性窓６４Ｒ，６４Ｌの内側に配置されており、発報表示灯９０Ｒ，９０Ｌの表示状態は透光性窓６４Ｒ，６４Ｌを介して外部から視認可能としている。
【００６５】
（火災検知部）
火災検知部７２Ｒ，７２Ｌは、センサ部７４，７８を備え、センサ部７４の出力を増幅処理部７６，８８に並列に入力し、また、センサ部７８の出力を増幅処理部８０に入力している。
【００６６】
右眼火災検知部７２Ｒを例とにとると、センサ部７４，７８の前面には検知器カバーに設けた右眼透光性窓６４Ｒが配置されており、右眼透光性窓６４Ｒを介して外部の検知エリアからの光エネルギーがセンサ部７４，７８に入射されている。
【００６７】
火災検知部７２Ｒ．７２Ｌは、例えば２波長式の炎検知により火災を監視している。例えば右眼火災検知部７２Ｒを例にとると、センサ部７４は、右眼透光性窓６４Ｒを介して入射した光エネルギーの中から、炎に特有なＣＯ2の共鳴放射帯である４．４〜４．５μｍの放射線を光学波長バンドパスフィルタにより選択透過（通過）させて、受光センサにより該放射線のエネルギーを検知して光電変換したうえで、増幅処理部７６により増幅等所定の加工を施してエネルギー量に対応する受光信号にして検知器制御部６８へ出力する。
【００６８】
また、センサ部７８は、右眼透光性窓６４Ｒを介して入射した光エネルギーの中から、５〜６μｍの放射エネルギーを光学波長バンドパスフィルタにより選択透過（通過）させて、受光センサにより該放射線のエネルギーを検知して光電変換したうえで、増幅処理部８０により増幅等所定の加工を施してエネルギー量に対応する受光信号にして検知器制御部６８へ出力する。
【００６９】
増幅処理部７６には、例えば図６に取り出して示すように、フィルタ１０８、プリアンプ１１０及びメインアンプ１１２が設けられている。フィルタ１０８は、炎固有のゆらぎ周波数帯域８〜１２Ｈｚを通過させる。増幅処理部８０も増幅処理部７６と同じになる。
【００７０】
（火災判断）
検知器制御部６８には、プログラムの実行により実現される機能として、火災判断機能が設けられている。検知器制御部６８は、例えば、右眼火災検知部７２Ｒの増幅処理部７６，８０から出力された受光値（受光信号レベル）の相対比をとり、所定の閾値と比較することにより炎の有無を判定し、炎有りの判定により火災を検知した場合には、伝送部７０に指示して、自己アドレスに一致する呼出信号に対する応答信号に火災検知情報を設定することにより、火災信号を防災受信盤１０へ送信させる制御を行う。
【００７１】
（試験開始光と試験復旧光の検知機能）
図５の火災検知部７２Ｒ，７２Ｌに設けられた増幅処理部８８は、テスタ３６から照射された試験開始光及び試験復旧光を検知するために設けられる。増幅処理部８８は、図６に取り出して示すように、フィルタ１１４、プリアンプ１１６及びメインアンプ１１８が設けられている。フィルタ１１４は、炎固有のゆらぎ周波数帯域８〜１２Ｈｚを超える周波数の信号を通過させるフィルタであり、例えば、試験開始光による２５０Ｈｚの受光信号、及び、試験復旧光による５００Ｈｚの受光信号を通過させる。
【００７２】
このため検知器制御部６８は、増幅処理部８８からの受光信号から２５０Ｈｚの周波数を検知した場合は試験開始指示と判断して試験モードを設定し、火災試験光の受光により試験発報を判断した場合に、試験情報が設定された火災信号を防災受信盤１０へ送信させる制御を行う。
【００７３】
また、検知器制御部６８は、増幅処理部８８からの受光信号から５００Ｈｚの周波数を検知した場合は、試験復旧指示と判断し、防災受信盤１０へ遠隔復旧信号を送信させる制御を行う。
【００７４】
（感度試験）
検知器制御部６８には、プログラムの実行により実現される機能として、感度試験機能が設けられている。検知器制御部６８は、伝送部７０を介して防災受信盤１０から自身のアドレスを指定した試験信号を受信した場合に動作し、発光駆動部８２に指示して、内部試験光源８４Ｒ，８５Ｒを順番に発光駆動して火災検知部７２Ｒの感度試験を行わせ、つ続いて、内部試験光源８４Ｌ，８５Ｌを順番に発光駆動して火災検知部７２Ｌの感度試験を行わせる。
【００７５】
例えば右眼火災検知部７２Ｒの感度試験を例にとると、発光駆動部８２は内部試験光源８４Ｒ，８５Ｒを順番に発光駆動することにより、炎に相当する炎試験光をセンサ部７４，７８に入射させる。内部試験光源８４Ｒ，８５Ｒからの炎試験光は、センサ部７４で受光する炎に固有な４．４〜４．５μｍ及びセンサ部７８で受光する５〜６μｍの放射エネルギーを含み、且つ、炎に固有な８〜１２Ｈｚのゆらぎ周波数をもつ光とされている。
【００７６】
検知器制御部６８は、センサ部７４と増幅処理部７６の回路ブロック、センサ部７８と増幅処理部８０の回路ブロック毎に感度試験を行う。
【００７７】
例えば、センサ部７４と増幅処理部７６の回路ブロックの感度試験は、工場出荷時に初期設定された基準受光値がメモリに記憶されており、システム立上げ時の感度試験で得られる検出受光値は基準受光値に一致しており、検出受光値を基準受光値で割った検出感度は１となっている。運用期間が経過していくと、検出受光値は徐々に低下し、検出感度は０．９，０．８，０．７・・・というように低下していく。
【００７８】
このように検出感度が１以下に低下した場合、検知器制御部６８は感度試験により検出感度を求めると共に、検出感度の逆数となる補正値を求めてメモリに記憶させ、その後の運用状態で検出される受光値に補正値を乗算して感度補正を行い、検知器制御部６８は感度補正された受光値により火災を判断する。
【００７９】
また、検知器制御部６８には、感度補正が不可能となる限界に対応した感度閾値、例えば感度閾値０．５が予め設定されており、感度試験で求められた検出感度が感度閾値以下又は感度閾値を下回った場合にセンサ部７４の感度異常による故障と判断し、伝送部７０に指示して、自己アドレスに一致する呼出信号に対する応答信号にセンサ故障情報を設定することにより、センサ故障信号を防災受信盤１０へ送信させる制御を行う。
【００８０】
また、検知器制御部６８には、感度閾値より大きい所定の感度異常の予告閾値、例えば予告閾値０．６が予め設定されており、感度試験で求められた検出感度が感度異常の予告閾値以下又は感度異常の予告閾値を下回った場合にセンサ部７４の感度異常による故障が近いと判断し、伝送部７０に指示して、自己アドレスに一致する呼出信号に対する応答信号に感度異常の予告情報を設定することにより、感度異常の予告信号を防災受信盤１０へ送信させる制御を行う。
【００８１】
（汚れ試験）
検知器制御部６８には、プログラムの実行により実現される機能として、汚れ試験機能が設けられている。検知器制御部６８は、伝送部７０を介して防災受信盤１０から自身のアドレスを指定した試験信号を受信した場合に動作し、発光駆動部８２に指示して、外部試験光源８６Ｒ，８６Ｌを順番に発光駆動して透光性窓６４Ｒ，６４Ｌの汚れ試験を行わせる。
【００８２】
例えば透光性窓６４Ｒの汚れ試験を例にとると、検知器制御部６８は外部試験光源８６Ｒを発光駆動することにより、炎試験光を透光性窓６４Ｒを介してセンサ部７４，７８に入射させる。外部試験光源８６Ｒからの炎試験光は、センサ部７４で受光する炎に固有な４．４〜４．５μｍ及びセンサ部７８で受光する５〜６μｍの放射エネルギーを含み、且つ、炎に固有な８〜１２Ｈｚのゆらぎ周波数をもつ光とされている。
【００８３】
検知器制御部６８は、例えばセンサ部７４と増幅処理部７６の回路ブロックを利用して汚れ試験を行う。透光性窓６４Ｒは工場出荷時に汚れはなく、その際に汚れ試験で得られた受光値が基準受光値としてメモリに記憶されており、減光率の演算に利用される。
【００８４】
システム立上げ時の汚れ試験で得られる検出受光値は基準受光値に一致しており、基準受光値から検出受光値を減算した値を基準受光値で割った減光率は０となっている。運用期間が経過していくと、透光性窓６４Ｒに汚れが付着し、減光率は、０．１，０．２，０．３・・・というように徐々に増加していく。
【００８５】
このように減光率が増加した場合、検知器制御部６８は汚れ試験により減光率を求めると共に、（１−減光率）の逆数となる補正値を求めてメモリに記憶させ、その後の運用状態で検出される受光値（感度試験の補正値により補正された受光値）を補正値により除算して汚れ補正を行い、汚れ補正された受光値により火災を判断する。なお、運用状態で検出される受光値は、前述した感度試験で得られた補正値および汚れ試験で得られた補正値で補正されることになる。
【００８６】
また、検知器制御部６８には、汚れ補正が不可能となる限界に対応した減光率となる汚れ閾値、例えば汚れ閾値０．５が予め設定されており、感度試験で求められた減光率が汚れ閾値以上又は汚れ閾値を上回った場合に透光性窓６４Ｒの汚れ補正が不可能となる汚れ異常と判断し、伝送部７０に指示して、自己アドレスに一致する呼出信号に対する応答信号に汚れ異常情報を設定することにより、汚れ異常信号を防災受信盤１０へ送信させる制御を行う。
【００８７】
また、検知器制御部６８には、汚れ閾値より小さい所定の汚れ予告閾値、例えば汚れ予告閾値０．４が予め設定されており、汚れ試験で求められた減光率が汚れ予告閾値以上又は汚れ予告閾値を上回った場合に汚れ異常が近いと判断し、伝送部７０に指示して、自己アドレスに一致する呼出信号に対する応答信号に汚れ異常の予告情報を設定することにより、汚れ異常の予告信号を防災受信盤１０へ送信させる制御を行う。
【００８８】
（テスタによる発報試験）
火災検知器１２の検知器制御部６８は、図２に示したように、発報試験を開始するためにテスタ３６から試験開始光が火災検知器１２に照射された場合、例えば右眼火災検知部７２Ｒを例にとると、センサ部７４，７８の前面には検知器カバーに設けた右眼透光性窓６４Ｒが配置されており、右眼透光性窓６４Ｒを介してテスタ３６から照射された２５０Ｈｚの周波数をもつ試験開始光の光エネルギーがセンサ部７４，７８に入射される。
【００８９】
センサ部７４からの受光信号は増幅処理部７６，８８に入力されるが、増幅処理部７６には炎固有のゆらぎ周波数を通過させる図６に示したフィルタ１０８が設けられているため、２５０Ｈｚの受光信号はカットされ、増幅処理部７６から受光値は得られない。この点はセンサ部７８からの受光信号を入力した増幅処理部８０も同様である。
【００９０】
これに対し増幅処理部８８は、図６に示したように、炎のゆらぎ周波数を超える受光信号を通過させるフィルタ１１４を備えており、センサ部７４からの２５０Ｈｚの受光信号が通過して増幅され、増幅処理部８８から２５０Ｈｚの周波数をもつ受光値が得られ、これを読み込んだ検知器制御部６８は試験開始指示を検知し、試験モードを設定する。
【００９１】
続いて、テスタ３６から炎試験光が火災検知器１２に照射される。例えば右眼火災検知部７２Ｒを例にとると、センサ部７４，７８の前面には検知器カバーに設けた右眼透光性窓６４Ｒが配置されており、右眼透光性窓６４Ｒを介してテスタ３６から照射された炎試験光の光エネルギーがセンサ部７４，７８に入射される。
【００９２】
右眼火災検知部７２Ｒは、２波長式の炎検知により火災を監視しており、センサ部７４は、右眼透光性窓６４Ｒを介して入射した炎試験光の光エネルギーの中から、炎に特有なＣＯ2の共鳴放射帯である４．４〜４．５μｍの放射線を光学波長バンドパスフィルタにより選択透過（通過）させて、受光センサにより該放射線のエネルギーを検知して光電変換したうえで、増幅処理部７６により増幅等所定の加工を施してエネルギー量に対応する受光信号にして検知器制御部６８へ出力する。
【００９３】
また、センサ部７８は、同じ右眼透光性窓６４Ｒを介して入射した炎試験光の光エネルギーの中から、５〜６μｍの放射エネルギーを光学波長バンドパスフィルタにより選択透過（通過）させて、受光センサにより該放射線のエネルギーを検知して光電変換したうえで、増幅処理部８０により増幅等所定の加工を施してエネルギー量に対応する受光信号にして検知器制御部６８へ出力する。
【００９４】
検知器制御部６８は、増幅処理部７６，８０から出力された受光値（受光信号レベル）の相対比をとり、所定の閾値と比較することにより炎の有無を判定し、炎有りの判定により火災を検知した場合には、伝送部７０に指示して、自己アドレスに一致する呼出信号に対する応答信号に、火災検知情報を試験情報と共に設定することにより、試験情報が設定された火災信号を防災受信盤１０へ送信させる制御を行う。
【００９５】
（発報表示灯の制御）
火災検知器１２の検知器制御部６８は、発光駆動部８２に指示して２色ＬＥＤを用いた発報表示灯９０Ｒ，９０Ｌの表示制御を行う。例えば、右眼火災検知部７２Ｒによる火災判断を例にとると、検知器制御部６８は火災判断による火災発報で発報表示灯９０Ｒを緑点滅させ、これに続く防災受信盤１０からの蓄積指示による蓄積時間中の火災判断のリセット状態では蓄積中を示すために発報表示灯９０Ｒを赤点滅させ、また、防災受信盤１０から蓄積受信による火災確定信号を受信した場合に防災受信盤１０の火災警報動作を示すために発報表示灯９０Ｒを赤色継続点灯とさせ、更に、防災受信盤１０から復旧信号を受信した場合に、発報表示灯９０Ｒを消灯させる制御を行う。このような検知器制御部６８による発報表示灯９０Ｒ，９０Ｌの表示制御は、テスタ３６を用いた火災検知器１２の発報試験の場合も同様となる。
【００９６】
なお、検知器制御部６８による発報表示灯９０Ｒ，９０Ｌの表示制御は、上記に限定されず、表示色と表示パターンを組み合わせた適宜の表示制御とすることができる。
【００９７】
［テスタ］
（テスタの概要）
図７はテスタの外観を示した説明図である。図７に示すように、火災検知器１２の発報試験に使用するテスタ３６は、テスタ筐体９２の前面に左右に分けて試験光源窓９４Ｒ，９４Ｌが設けられ、試験光源窓９４Ｒ，９４Ｌの中に試験光源が設けられている。テスタ３６は例えば電池電源により動作し、テスタ筐体９２の上面に、電源スイッチ９５、右眼試験スイッチ９６Ｒ、右眼試験復旧スイッチ９８Ｒ、左眼試験スイッチ９６Ｌ及び左眼試験復旧スイッチ９８Ｌが設けられている。
【００９８】
ここで、右眼試験スイッチ９６Ｒは操作釦を押込み操作してオンしている間、試験光源窓９４Ｒから試験開始光を所定時間のあいだ照射した後に炎試験光を照射させる。また、左眼試験スイッチ９６Ｌは操作釦を押込み操作してオンしている間、試験光源窓９４Ｌから試験開始光を所定時間のあいだ照射した後に炎試験光を照射させる。
【００９９】
一方、右眼試験復旧スイッチ９８Ｒは操作釦を押込み操作してオンした場合に、試験光源窓９４Ｒから試験復旧光を所定時間のあいだ照射させ、左眼試験復旧スイッチ９８Ｌは操作釦を押込み操作してオンした場合に、試験光源窓９４Ｌから試験復旧光を所定時間のあいだ照射させる。
【０１００】
（テスタの機能構成）
図８はテスタの機能構成の概略を示したブロック図である。図８に示すように、テスタ３６には、テスタ制御部１０１、右眼用の発光駆動部１００Ｒと試験光源１０２Ｒ、左眼用の発光駆動部１００Ｌと試験光源１０２Ｌ、操作部１０４及び表示部１０６が設けられ、バッテリー電源により動作される。
【０１０１】
テスタ制御部１０１は、操作部１０４に設けられた図７に示す右眼試験スイッチ９６Ｒが操作された場合、発光駆動部１００Ｒに指示して試験光源１０２ＲのＬＥＤを駆動し、試験開始光と炎試験光を照射させる制御を行う。
【０１０２】
また、テスタ制御部１０１は、操作部１０４に設けられた図７に示す左眼試験スイッチ９６Ｌが操作された場合、発光駆動部１００Ｌに指示して試験光源１０２ＬのＬＥＤを駆動し、試験開始光と炎試験光を照射させる制御を行う。
【０１０３】
一方、テスタ制御部１０１は、操作部１０４に設けられた図７に示す右眼試験復旧スイッチ９８Ｒが操作された場合、発光駆動部１００Ｒに指示して試験光源１０２ＲのＬＥＤを駆動し、炎試験光とは異なる試験復旧光を照射させる制御を行う。
【０１０４】
更に、テスタ制御部１０１は、操作部１０４に設けられた図７に示す左眼試験復旧スイッチ９８Ｌが操作された場合、発光駆動部１００Ｌに指示して試験光源１０２ＬのＬＥＤを駆動し、炎試験光とは異なる試験復旧光を照射させる制御を行う。
【０１０５】
図９はテスタにより照射される試験開始光、炎試験光及び試験復旧光を示したタイムチャートであり、図９（Ａ）に試験開始光と試験復旧光を所定周波数の光とした場合を示し、図９（Ｂ）に試験開始光と試験復旧光を所定のビットパターンのパルス光とした場合を示している。
【０１０６】
図９（Ａ）は、時刻ｔ１で試験スイッチをオン操作すると、テスタ３６は２５０Ｈｚの周波数で変化する試験開始光を時刻ｔ２までの所定時間のあいだ照射し、続いて、所定の空き時間を介して時刻ｔ３から試験スイッチをオフ操作する時刻ｔ４までの間、炎に固有なゆらぎ周波数８〜１２Ｈｚをもつ炎試験光を照射する。続いて、時刻ｔ５で試験復旧スイッチをオン操作すると、時刻ｔ６までの所定時間のあいだ、テスタ３６は５００Ｈｚの周波数で変化する試験復旧光を照射する。
【０１０７】
図９（Ｂ）は、試験開始光と試験復旧光を所定のビットパターンのパルス光とした場合であり、時刻ｔ１で試験スイッチをオン操作すると、所定ビットパターン「１１０１・・・１」となるパルス光の試験開始光を照射し、続いて、時刻ｔ３〜ｔ４のあいだ炎に固有なゆらぎ周波数８〜１２Ｈｚをもつ炎試験光を照射し、更に、時刻ｔ５で試験復旧スイッチをオン操作すると、時刻ｔ６までの所定時間のあいだ、試験開始光とは異なる所定ビットパターン「１００１・・・１１」となるパルス光の試験復旧信号を照射する。
【０１０８】
［防災監視システムの動作］
（防災受信盤の動作）
図１０は防災受信盤の制御動作を示したフローチャートであり、図３の防災受信盤１０に設けられた盤制御部４２による制御動作となる。
【０１０９】
図１０に示すように、防災受信盤１０の電源を投入してシステムが立ち上げられると、盤制御部４２は、ステップＳ１で所定の初期化処理を行った後にステップＳ２に進み、火災の受信の有無を判別している。
【０１１０】
盤制御部４２は、ステップＳ２で火災検知器１２からの火災信号の受信を判別すると、ステップＳ３に進み、火災発報した火災検知器１２のアドレスを指定して蓄積動作を指示し、火災検知器１２の火災判断動作を所定の蓄積時間のあいだ停止させ、蓄積時間が経過した場合に再度火災を判断させる。
【０１１１】
続いて盤制御部４２は、ステップＳ４で蓄積受信のために火災信号の再受信を判別しており、火災信号の再受信を判別するとステップＳ５に進み、火災信号に試験情報が設定されているか否か判別する。盤制御部４２は、ステップＳ５で火災信号に試験情報が設定されていないことを判別した場合は真の火災と判断してステップＳ６に進み、火災警報音や警報メッセージの出力及び火災警報表示を行うと共に外部の設備機器の連動制御を伴う火災警報動作を行う。
【０１１２】
続いてステップＳ７に進み、盤制御部４２は、火災発報した火災検知器１２のアドレスを指定して火災確定信号を送信し、火災検知器１２に防災受信盤１０で火災警報動作が行われたことを発報表示灯により表示させる。
【０１１３】
続いて、盤制御部４２は、ステップＳ８で火災に鎮火に伴う復旧操作の有無を判別しており、復旧操作を判別するとステップＳ９に進み、火災警報動作を復旧させると共に、火災発報した火災検知器１２のアドレスを指定して復旧信号を送信し、火災検知器１２の発報表示灯を消灯させる。
【０１１４】
一方、盤制御部４２は、ステップＳ５で火災信号に火災検知器１２の試験発報による試験情報が設定されていることを判別した場合はステップＳ１０に進み、外部の設備機器の連動制御を禁止した火災警報動作を行い、火災警報音や警報メッセージの出力及び火災警報表示を行う。
【０１１５】
この試験情報が設定された火災信号の受信により火災警報音や警報メッセージが出力されると、図２に示したように、防災受信盤１０に接続している通話入力装置３８のマイクにより警報音等が音響信号に変換されて非常電話回線１５に送信され、試験場所に近い非常電話機１６に接続している通話出力装置４０のスピーカから火災警報音が出力され、試験員３４は防災受信盤１０の火災警報音等から発報試験が正常に行われたことを確認できる。
【０１１６】
続いてステップＳ１１に進み、盤制御部４２は、火災発報した火災検知器１２のアドレスを指定して火災確定信号を送信し、火災検知器１２に防災受信盤１０で火災警報動作が行われたことを発報表示灯により表示させる。
【０１１７】
続いて、ステップＳ１２に進み、試験発報された火災検知器１２からの遠隔復旧信号の受信の有無を判別しており、テスタ３６の復旧操作に伴い火災検知器１２から送信された遠隔復旧信号の受信を判別するとステップＳ９に進み、火災警報動作を復旧させると共に、火災発報した火災検知器１２のアドレスを指定して復旧信号を送信し、火災検知器１２の発報表示灯を消灯させる。
【０１１８】
この場合にも、試験場所に近い非常電話機１６に接続している通話出力装置４０のスピーカからの火災警報音が停止し、試験員３４は防災受信盤１０の復旧が正常に行われたことを確認して次の火災検知器１２の発報試験に移ることができる。
【０１１９】
（火災検知器の動作）
図１１は火災検知器の制御動作を示したフローチャートであり、図５の火災検知器１２に設けられた検知器制御部６８による制御動作となる。
【０１２０】
図１１に示すように、防災受信盤１０からの電源供給を受けて火災検知器１２が立ち上げられると、検知器制御部６８は、ステップＳ２１で所定の初期化処理を行った後にステップＳ２２に進み、火災判断処理を行う。
【０１２１】
ステップＳ２２の火災判断処理として、検知器制御部６８は、火災検知部７２Ｒ，７２Ｌの増幅処理部７６，８０から出力された受光値を読み込み、感度試験で得られた補正値及び汚れ試験で得られた補正値による受光値を補正した後に、両者の比率を求め、所定の閾値を超えた場合に火災と判断し、伝送部７０に指示し、自身のアドレスを指定した呼出信号の受信に対する応答信号に火災検知情報を設定することにより、火災信号を防災受信盤１０へ送信させる。
【０１２２】
続いて、検知器制御部６８は、ステップＳ２３でテスタ３６の試験操作による試験開始光の受光による火災開始指示の有無を判別しており、例えば、右眼火災検知部７２Ｒに対する試験開始光を検知して試験開始指示を判別するとステップＳ２４に進み、試験モードを設定する。
【０１２３】
続いて、検知器制御部６８は、ステップＳ２５でテスタ３６からの炎試験光の受光による火災の有無を判断しており、火災を判断するとステップＳ２６に進み、発報表示灯９０Ｒを緑点滅させて試験発報を表示させ、ステップＳ２７で所定の試験情報が設定された火災信号を防災受信盤１０に送信する。
【０１２４】
続いて、検知器制御部６８は、ステップＳ２８で防災受信盤１０からの蓄積指示の有無を判別しており、蓄積指示を判別するとステップＳ２９に進み、火災判断をリセットして火災判断を停止し、また、発報表示灯９０Ｒを赤点滅させることで蓄積中にあることを表示させる。
【０１２５】
続いて、検知器制御部６８は、ステップＳ３０で所定の蓄積時間の経過を判別するとステップＳ３１に進んで炎試験光の受光により火災の有無を判断し、火災を判断するとステップＳ３２に進んで試験情報が設定された火災信号を防災受信盤１０に再度送信し、火災確定により火災警報動作を行わせる。
【０１２６】
続いて、検知器制御部６８は、ステップＳ３３で防災受信盤１０から火災確定信号の受信を判別するとステップＳ３４に進み、発報表示灯９０を赤点灯に切替え、防災受信盤１０で火災警報動作が行われたことを表示させる。
【０１２７】
続いて、検知器制御部６８は、ステップＳ３５でテスタ３６からの試験復旧光の受光による火災復旧指示を判別すると、ステップＳ３６に進んで遠隔復旧信号を防災受信盤１０へ送信して火災警報動作を停止させ、続いてステップＳ３７で防災受信盤１０からの復旧信号の受信を判別すると、ステップＳ３８に進んで発報表示灯９０Ｒを消灯させると共に、試験モードの設定を解除し、ステップＳ２２に戻って火災判断処理を行う。
【０１２８】
このような火災検知器１２の制御動作において、試験員３４は、テスタ３６を使用した試験発報及び試験復旧による防災受信盤１０からの火災警報音の出力や停止は、試験場所の近くの非常電話機１６に接続している通話出力装置４０のスピーカからの音として聞くことができ、火災検知器１２の試験発報に伴う防災受信盤１０の動作を確認しながら試験員１名で点検作業を進めることができる。
【０１２９】
また、テスタ３６を用いた火災検知器１２の発報試験に伴う防災受信盤１０と連携した火災発報動作、蓄積動作、火災警報動作、復旧動作は、火災検知器１２に設けている発報表示灯９０の緑点滅、赤点滅、赤点灯、及び消灯によっても試験員は確認することができる。
【０１３０】
［防災受信盤で試験モードを設定する実施形態］
図７乃至図９に示したテスタ３６を用いた火災検知器１２の発報試験では、テスタ３６から試験開始光を照射することで、火災検知器１２に試験モードを設定し、炎試験光の受光による火災判断で試験情報が設定された火災信号を防災受信盤１０に送信して、外部の設備機器の連動制御を解除した火災警報動作を行っているが、本発明による試験システムの他の実施形態として、火災検知器１２のテスタ３６を用いた発報試験に先立ち、防災受信盤１０の操作により、防災受信盤１０に試験モードを設定し、この状態で図２に示すように、テスタ３６を用いた火災検知器１２の発報試験を行うようにしても良い。
【０１３１】
この場合の試験員３４による火災検知器１２の発報試験は、図２を参照して説明すると、次のようになる。まず、試験開始に先立ち試験員３４は防災受信盤１０を所定の操作により試験モードに設定しておく。防災受信盤１０は、試験モードが設定されると、火災検知器１２の発報試験による火災信号を受信した場合、外部の設備機器との連動制御を解除した火災警報動作を行い、発報試験による連動制御が禁止される。
【０１３２】
また、防災受信盤１０に試験モードを設定する場合、テスタ３６は、図１２に示すように、炎試験光と試験復旧光を照射し、試験開始光を照射する必要はない。
【０１３３】
図１２はテスタにより照射する炎試験光及び試験復旧光を示したタイムチャートであり、図１２（Ａ）に炎試験光と試験復旧光を示し、図１２（Ｂ）に、試験復旧光のビットパターンが示されている。
【０１３４】
テスタ３６は、図１２（Ａ）に示すように、時刻ｔ１〜ｔ２で試験スイッチを操作している間、炎に固有な４．４〜４．５μｍの放射エネルギーを含み、且つ、炎に固有な８〜１２Ｈｚのゆらぎ周波数をもつ炎試験光を照射させる。また、テスタ３６は、時刻ｔ３で試験復旧スイッチを操作した場合、時刻ｔ４までの所定時間の間、炎に固有な４．４〜４．５μｍの放射エネルギーを含み、且つ、炎に固有な８〜１２Ｈｚのゆらぎ周波数をもつが、所定の照射パターンを持った試験復旧光を照射させる。
【０１３５】
テスタ３６から試験開始光が照射されないことに伴い、図５に示した火災検知器１２の火災検知部７２Ｒ，７２Ｌに設けている試験開始光を検知するための増幅処理部８８は不要となる。
【０１３６】
試験開始光を検知するための増幅処理部８８を取り除いた場合、テスタ３６から照射された試験復旧光は、図５の右眼透光性窓６４Ｒに照射した場合を例にとると、センサ部７４で受光され、増幅処理部７６で増幅処理された受光値を検知器制御部６８で読込み、図１２（Ｂ）に示すビットパターン１１０１であることを認識し、これによりテスタ３６からの試験復旧指示を判断し、伝送部７０に指示して遠隔復旧信号を防災受信盤１０に送信させる制御が行われることになる。なお、試験復旧光の照射パターンは一例であり、連続パターン以外の適宜の照射パターンとすることができる。
【０１３７】
［本発明の変形例］
（火災検知器）
上記の実施形態は２波長方式の火災検知器を例にとっているが、他の方式でも良く、例えば、前述した２波長に加え、ＣＯ2の共鳴放射帯である４．４〜４．５μｍ帯に対し短波長側の、例えば、３．８μｍ付近の波長帯域における放射線エネルギーを２波長式と同様の手法で検知し、これらの３波長帯域における各受光信号の相対比によって炎の有無を判定する３波長式の炎検知器としても良い。
【０１３８】
（テスタ）
上記の実施形態は、火災検知器の発報試験に２眼式のテスタを使用しているが、試験光源を１つ備えた単眼式のテスタを使用してもよい。
【０１３９】
（消火栓装置の電話ジャック）
上記の実施形態は、通話出力装置４０を、トンネル内に設置された非常電話機１６に設けられた電話ジャック１７に接続する場合を例にとっているが、これ以外に、トンネル内に５０メートル間隔で設置された消火栓装置の通報装置扉の裏側にも非常電話機と同様に電話ジャックが設けられていることから、消火栓装置の電話ジャックに通話出力装置４０を接続して防災受信盤１０の音響出力を確認するようにしても良い。
【０１４０】
（通話出力装置）
上記の実施形態は、非常電話機１６に設けられた電話ジャック１７に通話出力装置を接続し、そのスピーカから防災受信盤の火災警報音等を出力して試験員に知らせているが、これに限定されない。例えば、通話出力装置に無線送信機器を接続し、非常電話回線を介して受信した音響信号を無線送信し、これに対応して試験員は無線受信機器を携帯し、無線受信機で受信再生された防災受信盤からの火災警報音等をイヤホーン等で聞いて確認するようにしても良い。
【０１４１】
例えば、通話出力装置に音声出力端子を設け、マイクから入力した音声信号を無線送信するトークプッシュスイッチ（以下「ＰＴＴスイッチ」という）機能を備えたトランシーバを接続する。ＰＴＴスイッチ機能を備えたトランシーバは、マイク入力端子に通話出力装置の音声出力端子を接続することで、マイク入力端子から入力した音声信号を無線送信することができ、これを試験員が携帯しているトランシーバで受信すれば良い。
【０１４２】
また、通話出力装置に接続するトランシーバ及び試験員が携帯するトランシーバは、特定小電力の通信規格に従った４００ＭＨｚ帯を使用しており、トンネル内であれば、１００メートル程度までは確実に音声通信が可能となり、大音量でスピーカを鳴らす必要がない。
【０１４３】
（その他）
防災受信盤は火災発報時の警報音と試験時の発報音を異なるようにしても良い。試験中においても、アドレスが試験中でない火災検知器の発報信号を受けた際には火災発報の警報を行うことが好適である。これにより、遠隔で試験中の試験員３４が火災の発生を認識することが可能となり、火災への対応をおこなうことが可能となる。
【０１４４】
非常電話機は専用のボックスに備えられるものであっても良いし、消火栓装置と一体であるものとしても良い。
【０１４５】
火災検知器が火災検知しなくなると発報停止するような火災復旧を備えたシステムに於いては、火災検知器単体ごとに試験終了信号を試験器から出力するのではなく、全てあるは複数の火災検知器の試験が終了したタイミングで試験終了信号を出力する試験形態をとってよい。
【０１４６】
この場合、火災検知器ごとに試験開始光を照射することで、試験中の火災検知器の切り替えを行い、最終的に試験復旧光を照射することで全ての火災検知器に対して試験復旧状態とする。上記の方法によれば、試験器から試験実施後に炎試験光を停止させることで火災復旧し、警報が停止することにより試験員３４は防災受信盤１０の復旧を確認可能となる。
【０１４７】
また本発明は、その目的と利点を損なわない適宜の変形を含み、更に上記の実施形態に示した数値による限定は受けない。
【符号の説明】
【０１４８】
１ａ：上り線トンネル
１ｂ：下り線トンネル
１０：防災受信盤
１２：火災検知器
１４：伝送路
１５：非常電話回線
１６：非常電話機
１７，３７：電話ジャック
１８：消火ポンプ設備
２０：冷却ポンプ設備
２２：ＩＧ子局設備
２４：換気設備
２５：警報表示板設備
２６：ラジオ再放送設備
２８：テレビ監視設備
３０：照明設備
３２：遠方監視制御設備
３４：試験員
３６：テスタ
３８：通話入力装置
４０：通話出力装置
４２：盤制御部
４４：伝送部
６０：筐体
６２：センサ収納部
６４Ｒ，６４Ｌ：透光性窓
６６Ｒ，６６Ｌ，９２Ｒ，９２Ｌ：試験光源用透光窓
６８：検知器制御部
７０：伝送部
７２Ｒ，７２Ｌ：火災検知部
７４，７８：センサ部
７６，８０，８８：増幅処理部
８２：発光駆動部
８４Ｒ，８４Ｌ，８５Ｒ，８４Ｌ：内部試験光源
８６Ｒ，８６Ｌ：外部試験光源
９０Ｒ，９０Ｌ：発報表示灯
９２：テスタ筐体
９４Ｒ，９４Ｌ：試験光源窓
９５：電源スイッチ
９６Ｌ，９６Ｌ：試験スイッチ
９８Ｒ，９８Ｌ：試験復旧スイッチ
１００Ｒ，１００Ｌ：発光駆動部
１０１：テスタ制御部
１０２Ｒ，１０２Ｌ：試験光源
１０８，１１４：フィルタ
１１０，１１６：プリアンプ
１１２，１１８：メインアンプ
【図１】
2018180580.tif 000003
【図２】
2018180580.tif 000004
【図３】
2018180580.tif 000005
【図４】
2018180580.tif 000006
【図５】
2018180580.tif 000007
【図６】
2018180580.tif 000008
【図７】
2018180580.tif 000009
【図８】
2018180580.tif 000010
【図９】
2018180580.tif 000011
【図１０】
2018180580.tif 000012
【図１１】
2018180580.tif 000013
【図１２】
2018180580.tif 000014